(57)【要約】【課題】従来の倍又はそれ以上の文字を刻設することができ、刻設作業が容易で、皮膚が刻設部に触れないために、刻設部に皮脂や塵埃等がたまることがなく清潔で、文字刻設部が擦られて摩耗するおそれがない指輪を提供することを課題とする。【解決手段】合接し得る複数のリング１、２から成り、前記各リング１、２は隣接するリングに対して回動可能に連結され、前記各リング１、２の合接面３、４に文字５等の刻設を可能にしたことを特徴とする指輪である。通例、連結されるリング数は、２又は３である。【選択図】図６
2006296744.tif 000002
【特許請求の範囲】
【請求項１】
合接し得る複数のリングから成り、前記各リングは隣接するリングに対して回動可能に連結され、前記各リングの合接面に文字等の刻設を可能にしたことを特徴とする指輪。
【請求項２】
前記リングを隣接するリングに対して回動可能にする手段は、前記リングの１つに軸支持部を設けてそこに挿通されるピン軸と、前記１つのリングに連結する他のリングの一部を切欠き、その切欠き部端面に穿設される前記ピン軸の前記軸支持部から突出するピンが嵌入する軸穴とより成る請求項１に記載の指輪。
【請求項３】
前記ピン軸はバネ棒である請求項２に記載の指輪。
【請求項４】
前記合接されるリングの数は２である請求項１乃至３のいずかに記載の指輪。
【請求項５】
前記合接されるリングの数は３である請求項１乃至３のいずかに記載の指輪。
【請求項６】
合接される前記リングのうちの一方のリングの合接面にダボを突設し、他方のリングの合接面に前記ダボに対応するダボ穴を形成して成る請求項１乃至５のいずれかに記載の指輪。
【発明の詳細な説明】
【技術分野】
【０００１】
本発明は指輪、より詳細には、結婚指輪等のように、記念日、名前（イニシャル）、記念の言葉等の文字が刻設されるタイプの指輪に関するものである。
【背景技術】
【０００２】
結婚に際しては、夫婦の契りの証として交換される、結婚指輪が重要な意味を持つ。この結婚指輪には、その内周面に、結婚記念日、名前（イニシャル）等の文字が刻設されることが多い。
【０００３】
上記文字は指輪の内周面に刻設されるが、その内周面のスペースは限られているために刻設できる文字数にも限度があり、記念の言葉やメッセージ等を刻設する余裕がない。また、内周面への刻設作業は行ないづらいものであり、更に、その内周面は指に当接し続けるために、刻設された文字部分に皮脂や塵埃がたまりやすく、不衛生であると共に、文字部分が擦られ続けて摩耗し、次第に見にくくなってくる。
【０００４】
【特許文献１】特開平７−１５５２１４号公報
【特許文献２】特開平７−３９５２４号公報
【特許文献３】特開平１１−１６４７１４号公報
【特許文献４】特開２００２−３３０８０４号公報
【発明の開示】
【発明が解決しようとする課題】
【０００５】
上述したように、内周面に文字を刻設する従来の指輪においては、刻設し得る文字数が限られる、刻設作業が容易ではない、刻設部に皮脂、塵埃等がたまりやすい等の欠点があったので、本発明はそのような欠点のない、即ち、従来の倍又はそれ以上の文字を刻設することができ、刻設作業が容易で、皮膚が刻設部に触れないために、刻設部に皮脂や塵埃等がたまることがなく清潔で、文字刻設部が擦られて摩耗するおそれがない指輪を提供することを課題とする。
【課題を解決するための手段】
【０００６】
上記課題を解決するための請求項１に記載の発明は、合接し得る複数のリングから成り、前記各リングは隣接するリングに対して回動可能に連結され、前記各リングの合接面に文字等の刻設を可能にしたことを特徴とする指輪である。通例、連結されるリング数は、２又は３である。
【０００７】
好ましくは、前記リングを隣接するリングに対して回動可能にする手段は、前記リングの１つに軸支持部を設けてそこに挿通されるピン軸と、前記１つのリングに連結する他のリングの一部を切欠き、その切欠き部端面に穿設される前記ピン軸の前記軸支持部から突出するピンが嵌入する軸穴とより成り、ピン軸としてバネ棒が用いられる。
【０００８】
好ましくは、合接される前記リングのうちの一方のリングの合接面にダボが突設され、他方のリングの合接面に前記ダボに対応するダボ穴が形成される。
【発明の効果】
【０００９】
本発明に係る指輪は上記構成であるので、リングの各合接面及び必要に応じて内周面に文字を刻設できるので、従来の約２倍又はそれ以上の文字を刻設することができ、刻設器具がリングに当たらないので刻設作業が容易で、皮膚が文字刻設部に触れないために、刻設部に皮脂や塵埃がたまることがなくて清潔で、刻設文字部分が指で擦られることがないために、その角部等が摩耗損傷して文字等が見にくくなるおそれがないという効果がある。
【発明を実施するための最良の形態】
【００１０】
本発明を実施するための最良の形態について、添付図面に依拠して説明する。本発明に係る指輪は、合接し得る複数（通例２又は３）のリングから成る。図に示された実施形態は、２つのリング１、２から成るもので、一方のリング２が他方のリング１に対して回動可能に連結され、リング１、２の各合接面３、４に文字５等の刻設が可能である。
【００１１】
リング１、２の合接面３、４には記念の日付、名前（イニシャル）、言葉等の文字５や記号等が刻設されるが、それらの文字５等の刻設作業を一層容易にし、且つ、リング１、２の合接時における一体性及び安定性のために、通例、合接面３、４は平坦面とされる。
【００１２】
上記文字５等は合接面３、４にだけ刻設することが好ましいが、更に内周面３ａ、４ａにも刻設することが可能である。
【００１３】
リング１、２のうちの一方のリング２は、他方のリング１に回動可能に取り付けられ、刻設文字５が隠れて見えない合接状態から、刻設文字５が見える開いた状態との間を回動する。
【００１４】
リング１をリング２に回動可能に取り付けるための手段としては、一方のリング１に軸支持部６を設けてそこにピン軸７を挿通し、他方のリング２は一部を切欠き、その切欠き部端面８に、ピン軸７の軸支持部６から突出するピンが嵌入する軸穴９を穿設する方法が考えられる。ピン軸７としては、時計バンドを時計に取り付けるために用いられている、両端に突出しているピンを押込み没入させることができるバネ棒を用いることが好ましい。
【００１５】
その場合、リング２はその切欠き部端面８がリング１の軸支持部６を挟んだ状態にて、その部分に軸支されるが、その軸支持部６への取り付けに当っては、ピン軸７の両端に突出しているピンを押して引込めた状態にて、切欠き部端面８、８間に軸支持部６を導き入れる。その後ピンに対する押圧を解除すると、埋入状態のピンはバネに押されて突出しようとし、軸穴９に合致したところで軸穴９内に逃げる。かくしてリング２は、軸支持部６から外れることなくそこに軸支され、２つのリング１、２は、軸支持部６（ピン軸７）を軸に開閉可能となる。
【００１６】
好ましくは、一方の合接面３（４）にダボ１０を突設し、他方の合接面４（３）の対応位置に、ダボ１０が嵌合するダボ穴１１を設ける。そして、ダボ１０は膨隆形状としてダボ穴１１に圧入状態になるようにし、ダボ穴１１の入口で係止されて少し力を入れないと抜けないようにすることが好ましい。
【００１７】
合接面３、４に刻設された文字等は、リング１、２を閉じたときには隠れ、開いたときに見える。指輪の装着時や保管時には、リング１、２はほとんど閉じた状態にあり、また、合接面３、４は直接皮膚に当接しない。従って、文字等の刻設部分に塵埃や皮脂がたまるおそれがなくて衛生的であり、且つ、その部分は擦れないために、刻設文字等の角が摩耗して鮮明性が失われることもない。
【００１８】
３つのリングで構成する場合は、リング１に軸支持部６と同じ構成の軸支持部を、軸支持部６と反対側に設け、そこに、リング２と同様の構成の第３のリングを取り付ければよい。かくしてリング１とリング２の合接面、及び、リング２と第３のリングの合接面とに文字５等の刻設が可能となる。
【００１９】
なお、本発明に係る指輪は、基本的には、従来の指輪を横に二分又は三分してそれぞれ連結したものであって、格別厚手となる訳ではなく、従来のものと同様の感覚にて装着できるものである。
【００２０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２１】
【図１】本発明に係る指輪の正面図である。
【図２】本発明に係る指輪の平面図である。
【図３】本発明に係る指輪の右側面図である。
【図４】図１におけるＡ−Ａ線断面図である。
【図５】図１におけるＢ−Ｂ線断面図である。
【図６】本発明における指輪の開いた状態を示す斜視図である。
【符号の説明】
【００２２】
１    リング
２    リング
３    合接面
３ａ  内周面
４    合接面
４ａ  内周面
５    刻設文字
６    軸支持部
７    ピン軸
８    切欠き部端面
９    軸穴
１０    ダボ
１１    ダボ穴
【図１】
2006296744.tif 000003
【図２】
2006296744.tif 000004
【図３】
2006296744.tif 000005
【図４】
2006296744.tif 000006
【図５】
2006296744.tif 000007
【図６】
2006296744.tif 000008